(57)【要約】【課題】交流電圧調整装置は電圧制御用の結合変圧器、インバータ回路、及びスイッチング制御回路とを同一の筐体内に収納しているので、稼動時において、結合変圧器及びインバータ回路で発生する熱がスイッチング制御回路を形成する電子回路の電子部品に伝達し、電子回路の信頼性を低下させる問題があった。【解決手段】交流電源１と負荷２との間に２次巻線４ａが直列に挿入された結合変圧器４と、この結合変圧器４の１次巻線４ｂに電圧を印加するインバータ回路６と、このインバータ回路６をスイッチング制御する信号を出力するスイッチング制御回路７とを備えた交流電圧調整装置において、結合変圧器４を第１の筐体３に収納させると共にインバータ回路６とスイッチング制御回路７とを第２の筐体８に収納させ、結合変圧器４とインバータ回路６とスイッチング制御回路７とを接続ケーブル９で接続させた。【選択図】　　　　図２
2004147456.tif 000002
【特許請求の範囲】
【請求項１】
交流電源と負荷との間に２次巻線が直列に挿入された結合変圧器と、
この結合変圧器の１次巻線に電圧を印加するインバータ回路と、
このインバータ回路をスイッチングさせる制御信号を出力するスイッチング制御回路とを備えた交流電圧調整装置において、
前記結合変圧器を第１の筐体に収納させると共に前記インバータ回路と前記スイッチング制御回路とを第２の筐体に収納させ、前記結合変圧器と前記インバータ回路と前記スイッチング制御回路とを接続ケーブルで接続したことを特徴とする交流電圧調整装置。
【請求項２】
第１の筐体内または第２の筐体内の少なくともいずれか一方に結合変圧器とインバータ回路とスイッチング制御回路とを接続するコネクタ部を配設したことを特徴とする請求項１記載の交流電圧調整装置。
【請求項３】
第１の筐体の外周面に結合変圧器に接続された第１のコネクタを配設すると共に、第２の筐体の外周面にインバータ回路とスイッチング制御回路とに接続された第２のコネクタを配設させ、一方端に前記第１のコネクタに着脱可能に形成された第３のコネクタと他方端に前記第２のコネクタに着脱可能に形成された第４のコネクタとを配設させた着脱ケーブルと、を備えたことを特徴とする請求項１記載の交流電圧調整装置。
【請求項４】
第２の筐体の外周面にインバータ回路の発熱を放熱するヒートシンクを配設したことを特徴とする請求項１から請求項３のいずれか１項に記載の交流電圧調整装置。
【請求項５】
第２の筐体の外周面に前記第２の筐体を取付壁に取付ける１対の取付足を備え、この取付足はヒートシンクの両側面を挟むようにして前記第２の筐体から延設されることを特徴とする請求項４記載の交流電圧調整装置。
【請求項６】
ヒートシンクは複数のフィンを有し、取付壁と前記ヒートシンクとの間に空気を対流させる第１の対流空間を形成させたことを特徴とする請求項５記載の交流電圧調整装置。
【請求項７】
第１の筐体を取付壁に取付ける１対の取付足を前記第１の筐体から延設させ、前記第１の筐体と前記取付壁との間に空気を対流させる第２の対流空間を形成させたことを特徴とする請求項５または請求項６記載の交流電圧調整装置。
【発明の詳細な説明】
【０００１】
【発明の属する技術分野】
この発明は、例えば、入力された交流電源を電圧調整して負荷に供給する交流電圧調整装置に係わり、特に装置を収納する筐体に関するものである。
【０００２】
【従来の技術】
従来の交流電圧調整装置は、電圧制御用の結合変圧器、インバータ回路、及びスイッチング制御回路とを同一の筐体内に収納している。（例えば、特許文献１の図１３参照。）。
【０００３】
【特許文献１】
特開平１１−１６４５５８号公報（図１３とその説明）。
【０００４】
【発明が解決しようとする課題】
従来の交流電圧調整装置では、電圧制御用の結合変圧器、インバータ回路、及びスイッチング制御回路とを同一の筐体内に収納しているので、稼動時において、結合変圧器及びインバータ回路で発生する熱がスイッチング制御回路を形成する電子回路の電子部品に伝達することによって、電子回路の信頼性を著しく低下させるという欠点があった。
この対応として、筐体の側面などにスリットを配設したり、特許文献１の図１３に示すように電子回路を筐体の外部で囲うようすることにより熱喚起を行なう方法が講じられるが、この場合、塵埃や害虫が電子回路に付着し電子回路内で絶縁不良が発生するいう問題点があった。
【０００５】
この発明は、上述のような課題を解決するためになされたもので、交流電圧調整装置を構成する電子回路の信頼性向上を目的としている。
【０００６】
【課題を解決するための手段】
この発明に係る交流電圧調整装置においては、交流電源と負荷との間に２次巻線が直列に挿入された結合変圧器と、この結合変圧器の１次巻線に電圧を印加するインバータ回路と、このインバータ回路をスイッチング制御する信号を出力するスイッチング制御回路とを備え、結合変圧器を第１の筐体に収納させると共にインバータ回路とスイッチング制御回路とを第２の筐体に収納させ、結合変圧器とインバータ回路と前記スイッチング制御回路とを接続ケーブルで接続したものである。
【０００７】
【発明の実施の形態】
実施の形態１．
図１はこの発明の実施の形態１における交流電圧調整装置のブロック図、図２は交流電圧調整装置装置の外観斜視図、図３は図２のＡ部に示すコネクタ部を切離した状態の拡大図である。
図において、交流電源１と負荷２との間に第１の筐体３に収納された結合変圧器４の２次巻線４ａが直列に挿入されている。
【０００８】
また、結合変圧器４の１次巻線４ｂはコネクタ部５を介して１次巻線４ｂに電圧を印加するインバータ回路６と、このインバータ回路６をスイッチングさせる制御信号を出力するスイッチング制御回路７に接続されており、インバータ回路６とスイッチング制御回路７は第２の筐体８に収納されている。
【０００９】
なお、第１の筐体３にはグロメット３ａ，３ｂ，３ｃ、また、第２の筐体８にはグロメット８ａが配設されており、これらのグロメットは筐体に出入りする接続ケーブル９と筐体間に介在させて、水や塵埃に対する気密を行なう。
また、コネクタ部５は必要に応じて接続、切離しが可能（図３に示す）であり、交流電圧調整装置の機能チェックを容易にすると共に、接続部分を第１の筐体３内に収納することにより、コネクタ部５における水、塵埃に対しての導通性の低下を防止する。なお、コネクタ部５は第２の筐体８内に収納させても良く、また、第１の筐体３内及び第２の筐体８内の夫々に複数箇所配設しても良い。
【００１０】
第２の筐体８の外周面にはインバータ回路６が稼動時に発生する熱を放熱する複数のフィンを有したヒートシンク１０、及び交流電圧調整装置が負荷２に供給する電圧を設定するための設定スイッチ、動作状態を表示する表示部などを一体的に形成させた操作部１１が配設されている。
【００１１】
また、第２の筐体８の外周面には取付壁１２に取付けるための１対の取付足８ｂが配設され、取付足８ｂはヒートシンク１０の両側面を挟むようにして第２の筐体８から延設され、取付壁１２とヒートシンク１０との間に空気を対流させる第１の対流空間１３を形成させた状態で締付ボルト１４により取付足８ｂが固定されており、第１の対流空間１３を対流する空気によりヒートシンク１０は効率良く冷却される。
【００１２】
第１の筐体３の外周面には取付壁１２に取付けるための１対の取付足３ｄが第１の筐体３から延設され、第１の筐体３と取付壁１２との間には空気を対流させる第２の対流空間１５を形成させた状態で締付ボルト１６により取付足３ｄが固定されており、結合変圧器４が発生した熱は第１の筐体３を伝播した後、第２の対流空間１５を対流する空気により効率良く冷却される。
なお、第１の筐体３の底面には必要に応じて、地面などに設置するための取付台１７が配設されている。
【００１３】
以上のように構成されたこの発明の実施の形態１における交流電圧調整装置は、負荷２に供給する電圧を操作部１１に設定すると、交流電源１と負荷２との間に直列に挿入された結合変圧器４の２次巻線４ａの電圧が、結合変圧器４の１次巻線４ｂに印加される電圧をインバータ回路６とこのインバータ回路６をスイッチングさせる制御信号を出力するスイッチング制御回路７との作用によって可変されることにより、負荷２に印加される電圧を所定の電圧に制御するように稼動する。
【００１４】
以上のように構成されたこの発明の実施の形態１における交流電圧調整装置は、稼動時に結合変圧器４で発生した熱は第１の筐体３を伝播した後、第２の対流空間１５を対流する空気により効率良く冷却され、また、インバータ回路６で発生した熱は第１の対流空間１３を対流する空気によりヒートシンク１０が効率良く冷却されるので、スイッチング制御回路７を形成する電子回路の電子部品に熱が伝達されないので、電子回路の信頼性を向上させることができる。
【００１５】
実施の形態２．
図４はこの発明の実施の形態２における交流電圧調整装置のブロック図、図５は交流電圧調整装置の外観斜視図、図６は図５のＢ部に示すコネクタを切離した状態の拡大図である。
図において、第１の筐体３の外周面に結合変圧器４に接続された第１のコネクタ１８を配設すると共に、第２の筐体８の外周面にインバータ回路６とスイッチング制御回路７とに接続された第２のコネクタ１９を配設させ、一方端に第１のコネクタ１８に着脱可能に形成された第３のコネクタ２０ａと他方端に第３のコネクタ１９に着脱可能に形成された第４のコネクタ２０ｂとを配設させた着脱ケーブル２０を備えている。
【００１６】
以上のように構成されたこの発明の実施の形態２における交流電圧調整装置は、負荷２に供給する電圧を操作部１１に設定すると、交流電源１と負荷２との間に直列に挿入された結合変圧器４の２次巻線４ａの電圧が、結合変圧器４の１次巻線４ｂに印加される電圧をインバータ回路６とこのインバータ回路６をスイッチングさせる制御信号を出力するスイッチング制御回路７の作用によって可変されることにより、負荷２に印加される電圧を所定の電圧に制御するように稼動する。
【００１７】
以上のように構成されたこの発明の実施の形態２における交流電圧調整装置は、着脱ケーブル２０の第３のコネクタ２０ａを第１のコネクタ１８から、また、第４のコネクタ２０ｂを第２のコネクタ１９から必要に応じて接続、切離しが可能であり、交流電圧調整装置の機能チェックを容易にすることができる。
【００１８】
【発明の効果】
以上のように、この発明による交流電圧調整装置は、結合変圧器を第１の筐体に収納させると共にインバータ回路とスイッチング制御回路とを第２の筐体に収納させ、結合変圧器とインバータ回路とスイッチング制御回路とを接続ケーブルで接続するようにしたので、スイッチング制御回路を形成する電子回路の電子部品に熱が伝達しないので、電子回路の信頼性を向上させることができる。
【図面の簡単な説明】
【図１】この発明の実施の形態１における交流電圧調整装置のブロック図である。
【図２】この発明の実施の形態１における交流電圧調整装置の外観斜視図である。
【図３】図２のＡ部に示すコネクタ部を切離した状態の拡大図である。
【図４】この発明の実施の形態２における交流電圧調整装置のブロック図である。
【図５】この発明の実施の形態２における交流電圧調整装置の外観斜視図である。
【図６】図５のＢ部に示すコネクタを切離した状態の拡大図である。
【符号の説明】
１　交流電源、２　負荷、３　第１の筐体、３ｄ，８ｂ　取付足、
４　結合変圧器、４ａ　２次巻線、４ｂ　１次巻線、５　コネクタ部、
６　インバータ回路、７　スイッチング回路、８　第２の筐体、
９　接続ケーブル、１０　ヒートシンク、　１２　取付壁、
１３　第１の対流空間、１５　第２の対流空間、１８　第１のコネクタ、
１９　第２のコネクタ、２０　着脱ケーブル、２０ａ　第３のコネクタ、
２０ｂ　第４コネクタ。
【図１】
2004147456.tif 000003
【図２】
2004147456.tif 000004
【図３】
2004147456.tif 000005
【図４】
2004147456.tif 000006
【図５】
2004147456.tif 000007
【図６】
2004147456.tif 000008